(57)【要約】【課題】刈取り部周辺に対する運転者の視認性を向上させるようにしたコンバインを提供する。【解決手段】コンバインの刈取り部の側面に配置されるサイドカバー３３、３５の側面の平坦部３６、４２の下部から後部に亘り、下部の前後方向と後部の上下方向に沿って前記側面の外方に向けて略Ｌ字状に膨出する膨出部３７、４３を形成する。前記膨出部３７、４３の下部の膨出部分内側に係止手段を配置し、前記平坦部３６、４２の上部にロック手段を配置する。サイドカバー３３、３５の膨出部３７、４３による運転者の視界の死角を減らし、刈取り部５の周囲の視認性を向上させることができる。【選択図】      図２
2004229600.tif 000002
【特許請求の範囲】
【請求項１】
刈取り部の側面にサイドカバーが配置されたコンバインであって、
前記サイドカバーは、
側面の平坦部の下部から後部に亘り、下部の前後方向と後部の上下方向に沿って前記側面の外方に向けて略Ｌ字状に膨出する膨出部が形成され、
前記膨出部の下部の膨出部分に、前記サイドカバーの係止手段が配置され、
前記平坦部の上方に、前記サイドカバーのロック手段が配置されていることを特徴とするコンバイン。
【請求項２】
前記サイドカバーは、
その上部が、前記刈取り部の上方を覆うように配置され前後方向に均一な長さの防塵カバーの側方まで一体に延長して形成されていることを特徴とする請求項１記載のコンバイン。
【請求項３】
前記防塵カバーは、
引抜き材で形成され、運転席の前方で前記刈取り部の上方を覆う前部カバーと、
板材で形成され、運転席の側方で前記刈取り部の上方を覆う後部カバーとを有していることを特徴とする請求項２記載のコンバイン。
【発明の詳細な説明】
【０００１】
【発明の属する技術分野】
本発明は、刈取り部の側面にサイドカバーが配置されたコンバインに関する。
【０００２】
【従来の技術】
刈取り部の側面にサイドカバーが配置されたコンバインがある（例えば、特許文献１、特許文献２参照）。また、前記刈取り部の上方に、防塵カバーが配置されたコンバインがある（例えば、特許文献３、特許文献４参照）。
【０００３】
前記特許文献１は、サイドカバーが、別体で形成された上側サイドカバー部分と下側サイドカバー部分からなり、上側サイドカバー部分を刈取り部の引起こし装置、及び引起こし伝動ケースにボルト止めによって取付け、下側サイドカバー部分は、上側サイドカバー部分と分草体支持部材の間に着脱可能に配置することを開示している。また、前記特許文献２は、引起こしケースの側面から掻き込み装置の側方を覆うサイドカバーを設けることを開示している。
【０００４】
前記特許文献３は、刈取り部の上方に、刈取り部の前方を覆い、防塵位置と非防塵位置との間で揺動可能な可動カバー部と、刈取り部の後方を覆う固定カバー部とからなる防塵カバーを配置することを開示している。また、前記特許文献４は、刈取り部の上方に、刈取り部の前方を覆う固定カバーと、刈取り部の後方を覆う可動カバーとからなる防塵カバーを配置することを開示している。
【０００５】
【特許文献１】
実開平０２−１３７８３１号公報  （第５図）
【特許文献２】
特開平０８−０８９０５３号公報  （第３頁、図４）
【特許文献３】
特開平１１−２３５１１６号公報  （第６頁、図３）
【特許文献４】
実開昭６３−１９６９２９号公報  （第４図）
【０００６】
【発明が解決しようとする課題】
前記各サイドカバーでは、該サイドカバーで覆われる刈取り部の側面の構造物とサイドカバーとの接触を回避する目的で、サイドカバーの側面全体に膨らみ（膨出部）を持たせている。このため、コンバインの運転者の視界が前記膨出部で遮られ、刈取り部の側面の視認性を低下させ、コンバインの操縦性を低下させていた。
【０００７】
また、サイドカバーを上側サイドカバー部分と下側サイドカバー部分に分けて形成しているものでは、コンバインの整備時等、全てのサイドカバーを取外す必要がある場合には、その都度ボルトを外さなければ成らず、整備の作業性を低下させることになる。
【０００８】
前記刈取り部の上方に防塵カバーを設けるものでは、前記防塵カバーの固定カバー（前記特許文献３では固定カバー体、前記特許文献４では固定カバー）が運転席の前側から側面にかけて一体に形成されているので、コンバインの機種により刈取り条数が変わり、刈取り部の幅（本明細書では、コンバインの左右方向の寸法を指す。コンバインの前後方向の寸法を指す場合は長さという。）に合せてその都度加工しなければならず、防塵カバーの加工が煩雑になる。
【０００９】
上記の事情に鑑み、本発明は、刈取り部周辺に対する運転者の視認性を向上させると共に、前刈取り部のメンテナンス作業を容易にし、かつ防塵カバーの加工を容易にすると共に、刈取り部の幅に拘わらずサイドカバーを兼用し得るようにしたコンバインを提供することを目的とする。
【００１０】
【課題を解決するための手段】
請求項１に係る発明は、刈取り部（５）の側面にサイドカバー（３３、３５）が配置されたコンバインであって、
前記サイドカバー（３３、３５）は、
側面の平坦部（３６、４２）の下部から後部に亘り、下部の前後方向と後部の上下方向に沿って前記側面の外方に向けて略Ｌ字状に膨出する膨出部（３７、４３）が形成され、
前記膨出部（３７、４３）の下部の膨出部分に、前記サイドカバー（３３、３５）の係止手段（４５）が配置され、
前記平坦部（３６、４２）の上方に、前記サイドカバー（３３、３５）のロック手段（４６）が配置されていることを特徴とするコンバインにある。
【００１１】
請求項２に係る発明は、前記サイドカバー（３３、３５）は、
その上部が、前記刈取り部（５）の上方を覆うように配置され前後方向に均一な長さの防塵カバー（３２）の側方まで一体に延長して形成されていることを特徴とする請求項１記載のコンバインにある。
【００１２】
請求項３に係る発明は、前記防塵カバー（３２）は、
引抜き材で形成され、運転席（９）の前方で前記刈取り部（５）の上方を覆う前部カバー（３０）と、
板材で形成され、運転席（９）の側方で前記刈取り部（５）の上方を覆う後部カバー（３１）とを有していることを特徴とする請求項２記載のコンバインにある。
【００１３】
なお、括弧内の符号等は、図面と対照するためのものであり、これは、発明の理解を容易にするための便宜的なものであって、特許請求の範囲に何等影響を及ぼすものではない。
【００１４】
【発明の実施の形態】
以下、本発明の実施の形態を図面に基づいて説明する。
【００１５】
図１乃至図６は、本発明の実施の形態を示すもので、図１は、本発明を適用するコンバインの一例を示す斜視図、図２は、図１に示すコンバインの刈取り部の正面図、図３は、本発明によるサイドカバーの一例である左サイドカバーを示す側面図、図４は、図３に示す左サイドカバーの斜視図、図５は、図３に示す左サイドカバーの内側を示す斜視図、図６は、図３に示す左サイドカバーの分解斜視図である。
【００１６】
図１に示すように、コンバイン１は、左右一対のクローラ走行装置２（図１では左側のみ図示）に支持された機体３の前方に刈取り部５を備えている。また、前記機体３の左側（コンバイン１の前進方向に向かって左側）には、前記刈取り部５の後方に位置するように、前記刈取り部５で刈取られた穀稈の脱穀を行う脱穀機６と、前記刈取り部５から脱穀機６に沿って穀稈を搬送するフィードチェーン（図示せず）と、穀粒が脱穀された排稈を切断して圃場に排出する排稈処理装置７が配置されている。
【００１７】
また、前記機体３の右側（コンバイン１の前進方向に向かって右側）には、前記刈取り部５の後方に位置するように、コンバイン１を操縦するための運転席９と、脱穀された穀粒を一時貯蔵するグレンタンク１０と、該グレンタンク１０内の穀粒を排出するオーガ（図示せず）が配置されている。なお、エンジン（図示せず）は、運転席９の下方に設置されたエンジンルーム（図示せず）に配置されている。
【００１８】
前記運転席９には、運転者が着座する座席１１と、該座席１１の近傍に位置するように配置され、コンバイン１の走行方向（前進、後進）と走行速度を操作する主変速レバー１２と、走行時と作業時におけるコンバインの速度を切換える副変速レバー１３と、前記刈取り部５、脱穀部６、排稈処理装置７等の作業機と前記エンジンとの動力の断続を行うクラッチレバー１５と、前記刈取り部５の昇降操作とコンバイン１の旋回操作を行う操向レバー１６と、各種の操作スイッチ（図示せず）が配置された操作パネル１７が設けられている。
【００１９】
図１及び図２に示すように、前記刈取り部５は、例えば、パイプ状部材を組合わせて構成されるフレーム２０の先端に支持され、穀稈列の間に侵入して穀稈の分草を行う複数の分草体２１と、複数の爪２２を備え、前記分草体２１で分草された穀稈を梳き上げて引起こす引起こし装置２３と、前記刈取り部５の下部に配置され、前記引起こし装置２３で引起こされた穀稈を刈取る刈刃２５と、刈取られた穀稈を掻き込む掻き込み装置２６と、該掻き込み装置２６で掻き込まれた穀稈を前記フィードチェーンに向けて搬送すると共に、穀稈が前記脱穀部を通過する際の穀稈の穂先位置を調整する扱ぎ深さ搬送装置２７とを備えている。
【００２０】
前記刈取り部５の前面には、前記引起こし装置２３の前面を覆う引起こしケース２９が配置されている。また、前記刈取り部５の上方には、前記運転席９の前方で前記刈取り部５の上方（即ち、前記引起こしケース２９の上方）を覆うように前記フレーム２０に着脱可能に配置された防塵カバー３０（以下、前部カバー３０という）と、前記運転席９の側方で前記刈取り部５の上方（即ち、前記掻き込み装置２６及び扱ぎ深さ搬送装置２７の上方）を覆うように配置された防塵カバー３１（以下、後部カバー３１という）とを有する防塵カバー３２が設けられている。また、前記刈取り部５の左右の側面には、該側面を覆う右サイドカバー３３（運転席９側のサイドカバー）及び左サイドカバー３５（脱穀機６側のサイドカバー）が設けられている。
【００２１】
前記前部カバー３０は、例えば、アルミニウムあるいはアルミニウム合金等の引抜き材で、前後方向の長さが均一に形成されている。また、前記後部カバー３１は、例えば、アクリル樹脂等の透明な合成樹脂の板材で形成された天板３１ａの両側に、金属製のフレーム３１ｂをねじ止め等により固定した構造になっている。
【００２２】
前記右サイドカバー３３には、側面の平坦部３６の下部から後方に亘り、下部の前後方向と後部の上下方向に沿って前記平坦部３６から外方向に向けて略Ｌ字状（コンバイン１の右側から見た場合）に膨出する膨出部３７が形成され、前記平坦部３６から外方向に向けて立ち上がる前記膨出部３７の後部の膨出部分の前面３９に窓４０が形成されている。また、前記右サイドカバー３３の上部は、前記前部カバー３０の側方まで一体に延長して形成されている。
【００２３】
右サイドカバー３３は、このような構成であるので、前記平坦部３６から外方向に向けて立ち上がる前記膨出部３７の前面３９を含む立ち上り部が、補強用のリブの役割を果たし、右サイドカバー３３の強度を向上させることができる。
【００２４】
なお、前記膨出部３７の下部の膨出部分には、前記右サイドカバー３３を前記刈取り部５の側面に取り付けるための係止手段としてのフック（図示せず）が配置され、前記平坦部３６には、右サイドカバー３３を前記刈取り部５の側面に取り付けるためのロック手段としてのロックハンドル（図示せず）が配置されている。また、前記膨出部３７の後部の膨出部分の内側には、前記窓４０と対向するように前記刈取り部５のフレーム２０に支持されたライト４１が配置されている。
【００２５】
前記左サイドカバー３５には、側面の平坦部４２の下部から後方に亘り、下部の前後方向と後部の上下方向に沿って前記平坦部４２から外方向に向けて略Ｌ字状（コンバイン１の右側面から見た場合、左側面から見た場合には、逆Ｌ字状になる）に膨出する膨出部４３が形成されている。また、前記左サイドカバー３５の上部は、前記前部カバー３０及び後部カバー３１の側方まで一体に延長して形成されている。
【００２６】
左サイドカバー３５は、このような構成であるので、前記平坦部４２から外方向に向けて立ち上がる前記膨出部４３の立ち上り部が、補強用のリブの役割を果たし、左サイドカバー３５の強度を向上させることができる。
【００２７】
図３乃至図６に示すように、前記左サイドカバー３５の前記膨出部３７の下部の膨出部分には、前記左サイドカバー３５を前記刈取り部５の側面に取り付けるための係止手段としてのフック４５が配置され、前記平坦部４２の上部には、左サイドカバー３５を前記刈取り部５の側面に取り付けるためのロック手段としてのロックハンドル４６が配置されている。
【００２８】
前記フレーム２０の左側には、前記フック４５と対応するように係止部材４７と、前記ロックハンドル４６と対応するように係止部材４９が配置されている。なお、フレーム２０の右側にも前記右サイドカバー３３を取り付けるための係止部材（図示せず）が配置されている。
【００２９】
前記のように、右サイドカバー３３及び左サイドカバー３５は、その側面全体を膨出させるのではなく、下部及び後部をその前後方向及び上下方向に沿って膨出させ、前側の上部に平坦部３６、４２を形成しているので、側面の膨出による運転者の視界の死角を減らし、刈取り部５周辺の視認性を向上させることができる。
【００３０】
また、前記防塵カバー３２は、引抜き材で形成された前部カバー３０と、板材で形成された後部カバー３１とで構成されているので、コンバイン１の機種によって刈取り条数が変わり、刈取り部５の幅が変わっても、前記各サイドカバー３３、３５はそのままで、前部カバー３０の幅と後部カバー３１の幅を刈取り部５の幅に合せることにより対応することができる。即ち、前部カバー３０と後部カバー３１の天板３１ａを所要の幅に切断するだけで対応することができるので、防塵カバー３２の製作を容易にすることができる。また、防塵カバー３２を刈取り部５の幅に合せることが容易であり、膨塵性を向上させることができる。
【００３１】
また、前記右サイドカバー３３及び左サイドカバー３５の上部が、前記前部カバー３０の側方まで延長されているので、各サイドカバー３３、３５の上部で前記前部カバー３０の切り口（端面）や前部カバー３０と後部カバー３１の突合せ部の端面を覆い保護することができる。
【００３２】
なお、図１では図示していないが、前記後部カバー３１の後端と前記脱穀機６の前面６ａとの間には、他の防塵カバーが配置され、刈取り部５で発生した稈屑や塵埃は、運転席９から離れたコンバイン１の左側の側面から機外に排出されるようになっている。
【００３３】
【発明の効果】
請求項１に係る発明によれば、サイドカバーの側面の平坦部の下部と後部に膨出部を形成するようにしたので、膨出部による運転者の視界の死角を減らし、刈取り部の周囲の視認性を向上させることができる。また、係止手段とロック手段により刈取り部にサイドカバーを取り付けるようにしたので、サイドカバーの着脱を容易にして、メンテナンスの作業性を向上させることができる。また、膨出部を一連のＬ字状とすることにより、サイドカバーの強度を向上させることができる。
【００３４】
請求項２に係る発明によれば、前記サイドカバーの上部を、前記刈取り部の上方に配置された前後方向の長さが均一な防塵カバーの側方まで一体に延長するようにしたので、コンバインの機種により刈取り部の幅が変わっても、防塵カバーの幅を変えることで対応することができ、サイドカバーは、刈取り部の幅に拘わらず全ての機種に兼用することができる。また、防塵カバーは、単に幅を決めて切断するだけで刈取り部の幅に合せることができるので、前記サイドカバーと防塵カバーとの間の隙間をなくし防塵効果を向上させることができる。
【００３５】
請求項３に係る発明によれば、前部カバーを引抜き材で形成し、後部カバーを板材で形成しているので、前部カバーと後部カバーを刈取り部の幅に合せて切断するだけで所望の防塵カバーを形成することができ、前部カバーと後部カバーの製作が容易になる。
【図面の簡単な説明】
【図１】本発明を適用するコンバインの一例を示す斜視図。
【図２】図１に示すコンバインの刈取り部の正面図。
【図３】本発明によるサイドカバーの一例である左サイドカバーを示す側面図。
【図４】図３に示す左サイドカバーの斜視図。
【図５】図３に示す左サイドカバーの内側を示す斜視図。
【図６】図３に示す左サイドカバーの分解斜視図。
【符号の説明】
５…刈取り部
９…運転席
３０…前部カバー
３１…後部カバー
３２…防塵カバー
３３…サイドカバー（右サイドカバー）
３５…サイドカバー（左サイドカバー）
３６…平坦部
３７…膨出部
４２…平坦部
４３…膨出部
４５…係止手段（フック）
４６…ロック手段（ロックハンドル）
【図１】
2004229600.tif 000003
【図２】
2004229600.tif 000004
【図３】
2004229600.tif 000005
【図４】
2004229600.tif 000006
【図５】
2004229600.tif 000007
【図６】
2004229600.tif 000008